(57)【要約】【課題】より多様なマッサージ感を付与することのできるマッサージ機を提供すること。【解決手段】マッサージ機にはマッサージ機構２１が設けられている。マッサージ機構２１には、使用者Ａにマッサージを行う施療子２３が設けられているとともに、使用者Ａのマッサージ部位に送風を行うための送風装置が設けられている。また、マッサージ機は、施療子２３がマッサージする身体の部位であるマッサージ部位に送風装置が送風を行うとともに、施療子２３の動作に応じて送風装置の動作を制御するマッサージモードを有する。【選択図】図２
2013066508.tif 000002
【特許請求の範囲】
【請求項１】
マッサージのための施術部材と、送風のための送風装置と、前記施術部材および前記送風装置の動作を制御する制御装置とを備えるマッサージ機において、
前記送風装置は、前記施術部材がマッサージする身体の部位であるマッサージ部位に送風し、前記制御装置は、前記施術部材の動作に応じて前記送風装置の動作を制御するマッサージモードを有することを特徴とするマッサージ機。
【請求項２】
請求項１に記載のマッサージ機において、
前記送風装置は、前記マッサージ部位に温かい空気及び冷たい空気の少なくともいずれか一方を送風することを特徴とするマッサージ機。
【請求項３】
請求項１又は請求項２に記載のマッサージ機において、
前記送風装置は、前記送風装置の送風口から吐出される前の空気の温度を変化させる温度変化手段を備えることを特徴とするマッサージ機。
【請求項４】
請求項３に記載のマッサージ機において、
前記制御装置は、前記マッサージモードにおいて前記温度変化手段を制御することにより前記送風装置の送風口から送風される空気の温度を調整することを特徴とするマッサージ機。
【請求項５】
請求項１〜４のいずれか一項に記載のマッサージ機において、
前記送風装置は、前記マッサージ部位に送風するための空気の流れを発生させる送風機と、この送風機により形成された空気の流れを前記マッサージ部位に案内するダクトとを備えることを特徴とするマッサージ機。
【請求項６】
請求項１〜５のいずれか一項に記載のマッサージ機において、
前記制御装置は、前記施術部材の位置と前記送風装置の送風口の位置とを同期して変更することを特徴とするマッサージ機。
【請求項７】
請求項１〜６のいずれか一項に記載のマッサージ機において、
前記制御装置は、複数の前記施術部材の動作を互いに独立して制御するものであり、前記複数の施術部材のうちの少なくとも１つが動作しているとき、動作中の施術部材に対応する前記マッサージ部位に対して前記送風装置により送風させることを特徴とするマッサージ機。
【請求項８】
請求項１〜７のいずれか一項に記載のマッサージ機において、
前記送風装置は、前記マッサージ部位に送風するための空気の流れを発生させる送風機と、この送風機により形成された空気の流れを前記マッサージ部位に案内する通気路とを備え、
前記通気路は、前記施術部材内に形成された通路を含むことを特徴とするマッサージ機。
【請求項９】
請求項１〜８のいずれか一項に記載のマッサージ機において、
前記送風装置の送風口は、前記施術部材の近傍に設けられることを特徴とするマッサージ機。
【請求項１０】
請求項１〜９のいずれか一項に記載のマッサージ機において、
前記施術部材を背もたれ部に対して移動させる変位機構を備え、
前記変位機構とは別の部分に前記送風装置が設けられていることを特徴とするマッサージ機。
【請求項１１】
請求項１〜９のいずれか一項に記載のマッサージ機において、
前記施術部材を背もたれ部に対して移動させる変位機構を備え、
前記送風装置の送風口が前記変位機構に設けられていることを特徴とするマッサージ機。
【請求項１２】
請求項１〜１１のいずれか一項に記載のマッサージ機において、
前記送風装置は、複数の送風口を含み、
前記制御装置は、前記施術部材の動作に応じて前記複数の送風口のなかから前記マッサージ部位に送風するための送風口を選択することを特徴とするマッサージ機。
【請求項１３】
請求項１〜１２のいずれか一項に記載のマッサージ機において、
前記送風装置は、送風口の向きを変更することが可能な可変ノズルを含み、
前記制御装置は、前記施術部材の動作に応じて前記可変ノズルを制御することを特徴とするマッサージ機。
【請求項１４】
請求項１〜１３のいずれか一項に記載のマッサージ機において、
前記施術部材および前記送風装置を有する装置本体と、この装置本体に掛けられるカバーとを備え、
前記カバーは、通気性を有する材料および熱伝導率の高い材料の少なくとも一方を含むことを特徴とするマッサージ機。
【請求項１５】
請求項１〜１４のいずれか一項に記載のマッサージ機において、
前記送風装置は、送風に代えて吸引を行なうことを特徴とするマッサージ機。
【発明の詳細な説明】
【技術分野】
【０００１】
本発明は、施術部材の動作によって使用者のマッサージを行うマッサージ機に関する。
【背景技術】
【０００２】
この種のマッサージ機としては、例えば、特許文献１に記載のマッサージ機が知られている。
特許文献１では、アームに設けられた施療子（施術部材）に熱源を配置するとともに、施療子には、熱源の熱を施療子の外周部に運ぶ熱伝達手段が設けられている。そして、特許文献１のマッサージ機では、温められた施療子により使用者のマッサージが行われる。また、特許文献１では、施療子に向けて冷却風を送る送風機が設けられており、冷却風により施療子の温度を短時間で下げることができるように構成されている。
【先行技術文献】
【特許文献】
【０００３】
【特許文献１】特開２００８−２８４３３８号公報
【発明の概要】
【発明が解決しようとする課題】
【０００４】
しかしながら、特許文献１のマッサージ機において、送風機からの送風は、施療子の冷却を目的として行われる。このため、施療子の冷却以外は送風がない。
本発明は上記課題を解決するためになされたものであり、その目的は、より多様なマッサージ感を付与することのできるマッサージ機を提供することにある。
【課題を解決するための手段】
【０００５】
上記課題を解決するために、本発明のマッサージ機は、マッサージのための施術部材と、送風のための送風装置と、前記施術部材および前記送風装置の動作を制御する制御装置とを備えるマッサージ機において、前記送風装置は、前記施術部材がマッサージする身体の部位であるマッサージ部位に送風し、前記制御装置は、前記施術部材の動作に応じて前記送風装置の動作を制御するマッサージモードを有することを特徴とする。
【０００６】
上記構成において、前記送風装置は、前記マッサージ部位に温かい空気及び冷たい空気の少なくともいずれか一方を送風することが好ましい。
上記構成において、前記送風装置は、前記送風装置の送風口から吐出される前の空気の温度を変化させる温度変化手段を備えることが好ましい。
【０００７】
上記構成において、前記制御装置は、前記マッサージモードにおいて前記温度変化手段を制御することにより前記送風装置の送風口から送風される空気の温度を調整することが好ましい。
【０００８】
上記構成において、前記送風装置は、前記マッサージ部位に送風するための空気の流れを発生させる送風機と、この送風機により形成された空気の流れを前記マッサージ部位に案内するダクトとを備えることが好ましい。
【０００９】
上記構成において、前記制御装置は、前記施術部材の位置と前記送風装置の送風口の位置とを同期して変更することが好ましい。
上記構成において、前記制御装置は、複数の前記施術部材の動作を互いに独立して制御するものであり、前記複数の施術部材のうちの少なくとも１つが動作しているとき、動作中の施術部材に対応する前記マッサージ部位に対して前記送風装置により送風させることが好ましい。
【００１０】
上記構成において、前記送風装置は、前記マッサージ部位に送風するための空気の流れを発生させる送風機と、この送風機により形成された空気の流れを前記マッサージ部位に案内する通気路とを備え、前記通気路は、前記施術部材内に形成された通路を含むことが好ましい。
【００１１】
上記構成において、前記送風装置の送風口は、前記施術部材の近傍に設けられることが好ましい。
上記構成において、前記施術部材を背もたれ部に対して移動させる変位機構を備え、前記変位機構とは別の部分に前記送風装置が設けられていることが好ましい。
【００１２】
上記構成において、前記施術部材を背もたれ部に対して移動させる変位機構を備え、前記送風装置の送風口が前記変位機構に設けられていることが好ましい。
上記構成において、前記送風装置は、複数の送風口を含み、前記制御装置は、前記施術部材の動作に応じて前記複数の送風口のなかから前記マッサージ部位に送風するための送風口を選択することが好ましい。
【００１３】
上記構成において、前記送風装置は、送風口の向きを変更することが可能な可変ノズルを含み、前記制御装置は、前記施術部材の動作に応じて前記可変ノズルを制御することが好ましい。
【００１４】
上記構成において、前記施術部材および前記送風装置を有する装置本体と、この装置本体に掛けられるカバーとを備え、前記カバーは、通気性を有する材料および熱伝導率の高い材料の少なくとも一方を含むことが好ましい。
【００１５】
上記構成において、前記送風装置は、送風に代えて吸引を行なうことが好ましい。
【発明の効果】
【００１６】
本発明によれば、より多様なマッサージ感を付与することができる。
【図面の簡単な説明】
【００１７】
【図１】（ａ）は、第１の実施形態におけるマッサージ機の一部を破断して示す側面図、（ｂ）は、第１の実施形態におけるマッサージ機の正面図。
【図２】第１の実施形態における背もたれ部の部分拡大正面図。
【図３】第１の実施形態におけるマッサージ機の電気的構成を示す図。
【図４】第１の実施形態におけるマッサージ機の作用説明図。
【図５】第２の実施形態におけるマッサージ機の正面図。
【図６】第３の実施形態におけるマッサージ機の一部を破断して示す側面図。
【図７】第３の実施形態におけるマッサージ機構を示す図。
【図８】別例のマッサージ機の一部を破断して示す側面図。
【図９】別例のマッサージ機の正面図。
【図１０】別例のマッサージ機の斜視図。
【発明を実施するための形態】
【００１８】
（第１の実施形態）
以下、本発明を椅子型マッサージ機に具体化した第１の実施形態について図１〜図４にしたがって説明する。
【００１９】
図１（ａ）及び（ｂ）に示すように、マッサージ機１の支持脚部２は、使用者Ａが座る座部１１を支持している。座部１１の後部には、背もたれ部１２が傾動可能に設けられている。また、背もたれ部１２の左右両側には、肘掛部１３が取り付け固定されている。
【００２０】
支持脚部２には、背もたれ部１２のリクライニング機構１４が設けられており、リクライニング機構１４のリクライニング用モータ１５の駆動により背もたれ部１２のリクライニングがなされる。また、背もたれ部１２は、布等よりなるカバー１６によって被覆されている。
【００２１】
図２に示すように、背もたれ部１２を被覆しているカバー１６には、複数の孔１７が形成されている。孔１７の大きさは、空気が適切に流通する程度の大きさに設定されており、例えば、孔径が１ｍｍ程度の大きさに設定される。
【００２２】
図１に示すように、背もたれ部１２の左右方向中央には、背もたれ部１２の上下方向に延びるガイドレール２０が設けられている。背もたれ部１２の内部には、ガイドレール２０の前方に空間Ｓ０が形成されており、その空間Ｓ０内には、ガイドレール２０に沿って上下動する変位機構としてのマッサージ機構２１が設けられている。マッサージ機構２１は、機構本体２２と施療子２３とから構成されている。
【００２３】
マッサージ機構２１の機構本体２２には、施術部材としての一対の施療子２３が、背もたれ部１２の前面側に向かって延びるように設けられている。施療子２３は、使用者Ａのマッサージ部位をマッサージする一対の揉み玉２３ａと、揉み玉２３ａを支持する一対の支持部２３ｂから構成されている。なお、ここでいう「マッサージ部位」とは、揉み玉２３ａが直接的に接触している身体の部分（施療部位）、およびその周辺の部分を示すものとする。また、周辺の部分とは、揉み玉２３ａのマッサージ動作により使用者Ａがマッサージ感を受ける部分を少なくとも含むものである。
【００２４】
マッサージ機構２１の機構本体２２には、機構本体２２をガイドレール２０に沿って上下動させる上下動モータ２４が設けられているとともに、施療子２３を前後方向に出し引きしたり、施療子２３を振動させる強弱モータ２５が設けられている。
【００２５】
マッサージ機構２１の機構本体２２には、マッサージ部位に対して送風を行う送風装置３０が一体に設けられている。送風装置３０は、マッサージ機構２１がガイドレール２０に沿って上下動すると、マッサージ機構２１とともに上下動する。そして、施療子２３及び送風装置３０は、背もたれ部１２に設けられ、本実施形態では、背もたれ部１２が装置本体を構成する。送風装置３０は、本体部３１と、ダクト３５と、ノズル３６とからなる。
【００２６】
図３に示すように、送風装置３０の本体部３１には、送風機としてのファン３２、加熱装置３３（例えば、電熱線やＰＴＣヒーター）及び冷却装置３４（例えば、ペルチェ素子）が設けられている。また、図１に示すように、本体部３１は、ダクト３５を介してノズル３６に接続されている。本実施形態では、ダクト３５及びノズル３６は、１個の施療子２３に対して１個ずつ設けられており、各施療子２３における揉み玉２３ａの近傍に、ノズル３６の開口部が位置している。そして、本実施形態では、ノズル３６の開口部からマッサージ部位に向けて送風が行われる。よって、ノズル３６の開口部が、送風口３６ａとなる。ノズル３６の向きは、施療子２３がマッサージをするマッサージ部位に対して送風が行われるように、揉み玉２３ａのわずか前方に送風がなされるような向きとされている。
【００２７】
次に、マッサージ機１の電気的構成について図３にしたがって説明する。
マッサージ機１には、制御装置４０が内蔵されている。制御装置４０には、使用者Ａが操作する操作部４１、動作モードなどが記憶されるメモリ４２、リクライニング用モータ１５、上下動モータ２４、強弱モータ２５、ファン３２、加熱装置３３及び冷却装置３４が信号接続されている。本実施形態では、メモリ４２には、動作モードの一つとしてマッサージモードが記憶されている。ここで、本実施形態のマッサージモードとは、揉み玉２３ａがマッサージ部位のマッサージを行いながら、送風装置３０が、施療子２３の動作に応じてマッサージ部位に対して送風を行うモードである。すなわち、揉み玉２３ａによるマッサージと送風装置３０による送風が同期して行われるモードである。また、メモリ４２には、マッサージモード以外の動作モードとして、送風装置３０による送風を行わないで、施療子２３のみによってマッサージを行う施療モードが記憶されている。
【００２８】
操作部４１には、マッサージ機構２１によるマッサージを開始又は停止させるマッサージ開始／停止スイッチＳＷ１、施療子２３の位置を変更させるマッサージ部位選択スイッチＳＷ２、動作モードを選択するモード選択スイッチＳＷ３、加熱装置３３と冷却装置３４のＯＮ／ＯＦＦの切り替えを行う温風／冷風切替スイッチＳＷ４が設けられている。さらに、制御装置４０には、背もたれ部１２のリクライニングを調整するためのリクライニング調整スイッチＳＷ５が設けられている。
【００２９】
次に、制御装置４０が行う制御について説明する。
使用者Ａによるマッサージ開始／停止スイッチＳＷ１の操作によりマッサージの開始が選択されると、制御装置４０は、上下動モータ２４及び強弱モータ２５の制御を行う。詳細には、制御装置４０は、使用者Ａによるマッサージ部位選択スイッチＳＷ２の操作により選択されたマッサージ部位と、使用者Ａによるモード選択スイッチＳＷ３の操作により選択された動作モードにしたがって、上下動モータ２４及び強弱モータ２５の制御を行う。具体的には、制御装置４０は、マッサージ部位選択スイッチＳＷ２により選択されたマッサージ部位に揉み玉２３ａが位置するように上下動モータ２４を制御するとともに、揉み玉２３ａが駆動されるように強弱モータ２５を制御する。すなわち、使用者Ａは、マッサージ部位選択スイッチＳＷ２を操作することにより、任意のマッサージ部位を選択することができる。また、制御装置４０は、モード選択スイッチＳＷ３により選択された動作モードにしたがってマッサージ部位のマッサージを行えるように上下動モータ２４、強弱モータ２５及び送風装置３０を制御する。具体的には、使用者Ａがマッサージモードを選択したときは、制御装置４０は、上下動モータ２４、強弱モータ２５及び送風装置３０を制御する。また、使用者Ａが施療モードを選択したときは、制御装置４０は、上下動モータ２４及び強弱モータ２５を制御する。
【００３０】
また、マッサージモードを選択したとき、使用者Ａにより温風／冷風切替スイッチＳＷ４が操作されると、制御装置４０は、加熱装置３３と冷却装置３４のＯＮ／ＯＦＦを切り替える。加熱装置３３がＯＮ状態のときには、温かい空気が、冷却装置３４がＯＮ状態のときには、冷たい空気が送風される。すなわち、加熱装置３３と冷却装置３４のＯＮ／ＯＦＦを切り替えることにより、送風口３６ａから送風される空気の温度を変化させることができる（温かい空気又は冷たい空気を選択することができる）。よって、本実施形態では、加熱装置３３及び冷却装置３４が、温度変化手段として機能する。
【００３１】
更に、使用者Ａによるリクライニング調整スイッチＳＷ５の操作により、制御装置４０は、背もたれ部１２が傾動するようにリクライニング用モータ１５を駆動する。
次に、動作モードとしてマッサージモードが選択され、かつ、温風が選択された場合の本実施形態におけるマッサージ機１の作用について図４にしたがって説明する。
【００３２】
使用者Ａが、マッサージモードを選択すると、マッサージ機１では、選択されたマッサージ部位に機構本体２２（施療子２３）が移動し、揉み玉２３ａによるマッサージが行われる。このとき、機構本体２２の移動とともに、送風装置３０も移動し、揉み玉２３ａの近傍にノズル３６の送風口３６ａが配置される。
【００３３】
また、揉み玉２３ａによるマッサージに同期して、送風装置３０から、マッサージ部位に向けて、温風の送風が行われる。
したがって、上記実施形態によれば、以下のような効果を得ることができる。
【００３４】
（１）マッサージ機１は、施療子２３によりマッサージ部位をマッサージするとともに、送風装置３０によりマッサージ部位に対して送風を行うマッサージモードを有している。よって、マッサージ機１により、マッサージモードが行われると、使用者Ａのマッサージ部位は、施療子２３によるマッサージと、送風装置３０による送風とが同期して行われる。これにより、使用者Ａは、マッサージによるマッサージ感だけでなく、送風によるマッサージ感も得ることができ、より多様なマッサージ感を得ることができる。
【００３５】
（２）送風装置３０は、マッサージ部位に温かい空気を送風することができる。したがって、温かい空気を送風することでマッサージ部位を温め、施療による痛みの緩和などの効果を得ることができる。
【００３６】
（３）送風装置３０は、マッサージ部位に対して冷たい空気を送風することができる。したがって、マッサージ部位における蒸れの防止や、マッサージ部位のクールダウンなどの効果を得ることができる。
【００３７】
（４）送風装置３０に加熱装置３３及び冷却装置３４の両方を設けている。このため、加熱装置３３及び冷却装置３４により送風装置３０の送風口３６ａから吐出される前の空気の温度を変化させることができる。したがって、送風装置３０から送風される空気の温度を切り替えながらマッサージすることで、マッサージ部位における血行を促進することができる。
【００３８】
（５）制御装置４０は、加熱装置３３と冷却装置３４のＯＮ／ＯＦＦの制御を行うことができる。すなわち、制御装置４０は、加熱装置３３と冷却装置３４を制御することにより、送風装置３０の送風口３６ａから送風される空気の温度を調整することができる。したがって、使用者Ａは、任意のタイミングで送風口３６ａから送風される空気の温度を変更することができる。
【００３９】
（６）送風装置３０には、空気の流れを発生させるファン３２が設けられるとともに、ファン３２により形成された空気の流れをマッサージ部位に案内するダクト３５が設けられている。このため、ファン３２が発生させる空気の流れを、適切にマッサージ部位に案内することができる。
【００４０】
（７）マッサージ機１では、施療子２３の位置と送風装置３０の送風口３６ａの位置を同期して変更することができる。したがって、マッサージ部位そのものの温度を変えることができる。これにより、人間の温かい手でマッサージされているようなヒューマンタッチの感覚を再現することができる。
【００４１】
（８）ノズル３６の送風口３６ａは、施療子２３の近傍に設けられている。このため、送風量が少なくてもマッサージ部位の温度を変えることができ、ファン３２の小型化や騒音を軽減することができる。
【００４２】
（９）マッサージ機構２１は、上下動可能に設けられている。また、マッサージ機構２１には、マッサージ部位に対して送風を行う送風装置３０が設けられている。このため、マッサージ機構２１が上下動すると、マッサージ機構２１の上下動に合わせて送風装置３０が移動する。したがって、マッサージ機構２１の上下動に伴い、送風方向を変更するためにノズル３６を可動にしたりする必要がなく、シンプルな構造でマッサージ部位に送風することができる。
【００４３】
（１０）カバー１６には、複数の孔１７が形成されている。このため、カバー１６の通気性は、向上され、送風装置３０が送風する温冷風が、マッサージ部位に届きやすくなる。したがって、マッサージ部位の温度を変化させやすい。
【００４４】
（１１）送風装置３０により、送風を行うことでマッサージ部位の温度を変化させている。マッサージ部位の温度を変化させる構成である送風装置３０を施療子２３以外の部分に設けることにより、施療子２３の構造を簡単にすることができる。
【００４５】
（第２の実施形態）
以下、本発明を椅子型マッサージ機に具体化した第２の実施形態について図５にしたがって説明する。以下に説明する実施形態において、すでに説明した実施形態と同一構成については同一符号を付すなどしてその重複する説明を省略又は簡略する。
【００４６】
図５に示すように、本実施形態におけるマッサージ機３の背もたれ部１２の上部及び下部には、それぞれマッサージ機構５１が内蔵されているとともに、各マッサージ機構５１には、施術部材としての施療子５２が複数（本実施形態では２個）設けられている。各マッサージ機構５１には、各施療子５２を振動させる強弱モータ５３が複数（本実施形態では２個）設けられている。具体的には、１個の施療子５２に対して１個の強弱モータ５３が信号接続されている。各強弱モータ５３は、制御装置４０により互いに独立して制御される。これにより、各施療子５２の動作は、互いに独立して制御される。また、各施療子５２の近傍には、ノズル３６が設けられている。本実施形態のマッサージ機構５１（施療子５２）は、背もたれ部１２に固定されており、移動不能とされているとともに、第１の実施形態に記載の上下動モータ２４は搭載されていない。
【００４７】
本実施形態においてメモリ４２には、マッサージモード等の動作モードに加え、マッサージ部位選択スイッチＳＷ２により選択されたマッサージ部位に対して、どの施療子５２を動作させるかの対応関係が記憶されている。そして、制御装置４０は、マッサージ部位選択スイッチＳＷ２により選択されたマッサージ部位に対応する施療子５２を動作させる。例えば、マッサージ部位として肩が選択された場合は、制御装置４０は、上部に位置する強弱モータ５３及び施療子５２のみを動作させ、マッサージ部位として腰が選択された場合は、制御装置４０は、下部に位置する強弱モータ５３及び施療子５２のみを動作させる。また、マッサージ部位として腰及び肩を選択することにより、全ての強弱モータ５３及び施療子５２を動作させるなど、種々の対応関係を設定することも可能である。
【００４８】
また、制御装置４０は、動作モードとしてマッサージモードが選択されている場合は、動作している施療子５２の近傍に設けられたノズル３６から送風が行われるように送風装置３０の制御を行う。
【００４９】
次に、動作モードとしてマッサージモードが選択された場合のマッサージ機３の作用について説明する。
使用者Ａが、マッサージモードを選択すると、選択されたマッサージ部位に対応した施療子５２によってマッサージが行われるとともに、動作している施療子５２の近傍に設けられたノズル３６からマッサージ部位に対して送風が行われる。
【００５０】
したがって、上記実施形態によれば、第１の実施形態の効果（１）〜（８），（１０），（１１）に加えて、以下のような効果を得ることができる。
（１２）制御装置４０は、各施療子５２の動作を互いに独立して制御する。また、制御装置４０は、動作している施療子５２に対応するマッサージ部位に送風を行うことができる。このため、マッサージ機構５１を可動式にしなくても適切にマッサージ部位に対して送風を行うことができる。
【００５１】
（第３の実施形態）
以下、本発明を椅子型マッサージ機に具体化した第３の実施形態について図６及び図７にしたがって説明する。以下に説明する実施形態において、すでに説明した実施形態と同一構成については同一符号を付すなどしてその重複する説明を省略又は簡略する。
【００５２】
図６に示すように、マッサージ機４のガイドレール２０には、ガイドレール２０に沿って上下動するマッサージ機構６１が設けられている。
次に、本実施形態におけるマッサージ機構６１について図７にしたがって詳しく説明する。
【００５３】
図７に示すように、マッサージ機構６１の機構本体６２には、送風装置７０の送風機７１が内蔵されている。機構本体６２には、一対の施療子６３が設けられている。各施療子６３は、揉み玉６４と支持機構６５から構成されている。各支持機構６５は、機構本体６２内の送風機７１に接続される支持部材６６と、揉み玉６４を支持する支持軸６７から構成されている。各支持部材６６及び支持軸６７は、有底筒状なしており、各支持部材６６内及び各支持軸６７内に内部領域Ｓ１，Ｓ２が形成されている。各支持部材６６において、開口している側の一端部は、送風機７１に接続されているとともに、各支持部材６６において閉塞された側の他端部には支持軸６７において開口している側の一端部が取り付けられている。各支持部材６６において支持軸６７が取り付けられている部分には、貫通孔６６ａが形成されている。これにより、各支持部材６６の内部領域Ｓ１と、支持軸６７の内部領域Ｓ２は連通している。
【００５４】
また、揉み玉６４には、背もたれ部１２に向かって延びる通路６４ａが複数箇所（本実施形態では３箇所）に形成されているとともに、支持軸６７には、通路６４ａに対応して貫通孔６７ａが形成されている。したがって、支持部材６６の内部領域Ｓ１、支持軸６７の内部領域Ｓ２、通路６４ａは連通している。このため、送風機７１から支持部材６６の内部領域Ｓ１に送風がなされると、内部領域Ｓ２を介して通路６４ａに送風がなされるような構成となっている。すなわち、本実施形態では、支持部材６６の内部領域Ｓ１、支持軸６７の内部領域Ｓ２、揉み玉６４に形成された通路６４ａが、送風機７１により形成された空気の流れをマッサージ部位に案内する通気路として機能する。そして、送風装置７０は、送風機７１と、通気路から形成されている。
【００５５】
なお、通路６４ａは、発泡ゴムでできた揉み玉ならば、その揉み玉に形成された気泡を通路とすることができ、揉み玉に通路６４ａを形成しないで済む。
次に、動作モードとしてマッサージモードが選択された場合のマッサージ機４の作用について説明する。
【００５６】
使用者Ａが、マッサージモードを選択すると、選択されたマッサージ部位に移動した施療子６３の揉み玉６４によってマッサージが行われる。また、送風機７１は、支持部材６６の内部領域Ｓ１、支持軸６７の内部領域Ｓ２を介して通路６４ａからマッサージ部位に対して送風を行う。
【００５７】
したがって、上記実施形態によれば、第１の実施形態の効果（１）〜（５），（７），（９），（１０）に加えて、以下のような効果を得ることができる。
（１３）揉み玉６４に通路６４ａを形成するとともに、送風機７１と通路６４ａを通気路で連通した。このため、送風機７１が送風を行うと、通気路を介して通路６４ａからマッサージ部位に送風がなされる。したがって、施療子６３と使用者Ａが接触している面に直接送風することができるので、マッサージ部位の温度が変化しやすい。
【００５８】
（１４）揉み玉６４を支持する支持部材６６及び支持軸６７に内部領域Ｓ１，Ｓ２を形成するとともに、揉み玉６４に通路６４ａを形成し、内部領域Ｓ１，Ｓ２、通路６４ａによって通気路を形成した。このため、送風機７１からの送風をマッサージ部位に案内するために、通気路を形成する部材を設ける必要がなく、マッサージ機４の部品点数の削減が図られる。
【００５９】
なお、上記各実施形態は、以下のように変更してもよい。
・  第１の実施形態において、図８に示すように、ガイドレール２０に送風装置８０を設けてもよい。この場合、送風装置８０のノズル８１を可変ノズルにすることが好ましい。送風装置８０には、ノズル８１を図中の矢印Ｙ方向に変位させる駆動装置８２が設けられている。そして、制御装置４０により駆動装置８２が駆動されると、ノズル８１が矢印Ｙ方向に沿って変位し、ノズル８１の向きが変更される。なお、送風装置８０はガイドレール２０以外の構造体に設けてもよい。
【００６０】
これによれば、マッサージ機構２１の移動に伴うマッサージ部位の変更に伴って、ノズル８１の向きを変更することにより、マッサージ部位に対して送風を行うことができる。また、マッサージ機構２１に送風装置を設ける必要がないため、マッサージ機構２１の軽量化が図られる。
【００６１】
さらに、送風装置８０をガイドレール２０に沿って上下動可能に設けてもよい。この場合、送風装置８０に、ファン３２を設けず、自然対流によって、送風を行うようにしてもよい。具体的には、温かい空気は上昇し、冷たい空気は下降することを利用して、空気の温度を変化させることにより送風を行う。送風装置８０をこのように構成する場合、マッサージ部位に温かい空気を送風するときは、送風装置８０をマッサージ部位よりも下部に移動させるとともに、ノズル８１を上方向に向けることにより送風を行う。また、マッサージ部位に冷たい空気を送風するときは、送風装置８０をマッサージ部位よりも上部に移動させるとともに、ノズル８１を下方向に向けることにより送風を行う。
【００６２】
・  各実施形態において、カバー１６に孔１７を形成せず、熱伝導率の高い材料からなるカバーを用いることにより、マッサージ部位に熱が伝わりやすくしてもよい。熱伝導率の高い材料としては、例えば、金属を単繊維状にしたものを編みこんだ布地や、通常の合成繊維の単繊維表面に金属めっきを施したものなどが採用される。
【００６３】
・  各実施形態において、送風装置３０，７０は、送風に代えて吸引を行うようにしてもよい。この場合、吸引による冷却効果や、蒸れ防止について高い効果を得ることができる。
【００６４】
・  第１及び第２の実施形態において、図９に示すように、ダクト３５及びノズル３６は、マッサージ機１，３の背もたれ部１２の側面から背もたれ部１２外へ突出していてもよい。この場合、図示しない駆動装置を設けることにより、各ダクト３５及びノズル３６を可動であるものにしてもよい。また、ダクト３５及びノズル３６の数は自由に設定することができる。ダクト３５及びノズル３６が複数ある場合、制御装置４０は、マッサージ部位選択スイッチＳＷ２により選択されたマッサージ部位に合わせて、どのノズル３６から送風を行うかを選択する。このように構成することにより、マッサージ部位に適切に送風を行うことができる。すなわち、制御装置４０は、施療子２３，５２の動作に応じて複数の送風口３６ａのなかからマッサージ部位に送風するための送風口３６ａを選択する。
【００６５】
・  各実施形態において、本発明を椅子型のマッサージ機に具体化したが、図１０に示すように、ベッド式のマッサージ機５に本発明のマッサージ機を具体化してもよい。また、マット式のマッサージ機に具体化してもよい。
【００６６】
・  第１及び第２の実施形態において、ダクト３５及びノズル３６を設けず、送風装置３０のファン３２が駆動することにより発生する空気の流れが、直接マッサージ部位に当たるようにしてもよい。
【００６７】
・  各実施形態のマッサージモードにおいて、施療子２３，５２，６３がマッサージ部位をマッサージするタイミングと、送風装置３０，７０がマッサージ部位に送風を行うタイミングは同一のタイミングとしたが、施療子２３，５２，６３がマッサージ部位をマッサージする前に、送風装置３０，７０が予めマッサージ部位に対して送風を行ってもよい。
【００６８】
・  各実施形態において、操作部４１に送風装置３０，７０のＯＮ／ＯＦＦを選択できるスイッチを設け、このスイッチの操作により所望のタイミングで送風できるようにしてもよい。この場合、施療子２３，５２，６３を常に動作させつつ、送風装置３０，７０をＯＮさせることにより、施療子２３，５２，６３によるマッサージと、送風を同時に行えるため、マッサージモードと同一の効果を得られる。
【００６９】
・  各実施形態において、送風装置３０，７０は、加熱装置３３及び冷却装置３４を備えず、送風装置３０，７０による送風のみを行う構成としてもよい。この場合であっても、使用者Ａには送風によるマッサージ感が付与される。
【００７０】
・  各実施形態において、送風装置３０，７０は、加熱装置３３及び冷却装置３４を備える構成としたが、加熱装置３３のみを備え、温かい空気のみを送風する送風装置を用いてもよい。同様に、冷却装置３４のみを備え、冷たい空気のみを送風する送風装置を用いても良い。すなわち、送風装置は、温かい空気又は冷たい空気を送風できるようにしてもよい。
【００７１】
・  各実施形態において、温かい空気を送風する送風装置と冷たい空気を送風する送風装置を別々に設けてもよい。
・  各実施形態において、操作部４１に設けられるスイッチは、変更してもよい。
【００７２】
・  第１及び第２実施形態において、施術部材として、エアバックによる空気式のものを採用してもよい。
・  各実施形態において、施療子２３，５２，６３や、送風装置３０，７０の数を変更してもよい。
【００７３】
・  各実施形態において、送風機としてコンプレッサーなどを用いてもよい。
【符号の説明】
【００７４】
Ｓ１…通気路としての内部領域、Ｓ２…通気路としての内部領域、１，３，４，５…マッサージ機、１２…背もたれ部、１６…カバー、２１，５１，６１…変位機構としてのマッサージ機構、２３，５２，６３…施術部材としての施療子、３０，７０，８０…送風装置、３２…送風機としてのファン、３３…温度変化手段としての加熱装置、３４…温度変化手段としての冷却装置、３５…ダクト、３６ａ…送風口、４０…制御装置、６４ａ…通路、７１…送風機。
【図１】
2013066508.tif 000003
【図２】
2013066508.tif 000004
【図３】
2013066508.tif 000005
【図４】
2013066508.tif 000006
【図５】
2013066508.tif 000007
【図６】
2013066508.tif 000008
【図７】
2013066508.tif 000009
【図８】
2013066508.tif 000010
【図９】
2013066508.tif 000011
【図１０】
2013066508.tif 000012